(57)【要約】      （修正有）【課題】警告及び照明機能を具有する携帯電源の構造を提供する。【解決手段】警告及び照明機能を具有する携帯電源１は、本体１０の外部に本体第１面１１及び本体第２面１２を形成し、本体第１面にディスプレイ１３を設置する。ディスプレイは少なくとも二色で構成する複数の発光体２０を陣列で以って設置するものである。該ディスプレイ部分は複数のディスプレイに分けて設けることができ、二つの相隣するディスプレイの発光体は同じカラー或いは異なるカラーの発光体を設置することができる。複数の発光体は回路基板に陣列で設置し、且つディスプレイに対応する。制御モジュールを介して異なるカラー或いは異なる位置にある発光体に対して異なる駆動電流を配置し、プリセットの混合光視覚効果及び照明光度、色温度と警告ライト表示に達する。【選択図】図１
0003211298.tif 000002
【実用新案登録請求の範囲】
【請求項１】
主に本体、複数の発光体、制御モジュール、回路基板及びバッテリーを含み、
該本体の外部に本体第１面及び本体第２面を形成し、
その中、本体第１面にディスプレイを設置し、該ディスプレイは少なくとも二色で構成する複数の発光体を陣列で以って設置するものであり、
該回路基板は制御モジュールと電気接続し、二つとも本体内部に収納し、
その中、バッテリーもまた制御モジュールと電気接続し、且つ本体内部に収納し、且つ制御モジュールによって制御されることで、充電或いは放電を行い、
その中、複数の発光体と回路基板は電気接続し、且つ回路基板に陣列で設置し、且つディスプレイに対応し、
制御モジュールを介し、異なるカラー或いは/及び異なる位置にある発光体に異なる或いは/及び同じ駆動電流を配置することで、前記発光体のオン或いはオフを制御することで、プリセットの混合光の視覚効果に達し、及びプリセットの照明光度、色温度及び最良の警告ライトの効果に達することを特徴とする警告及び照明機能を具有する携帯電源の構造。
【請求項２】
前記発光体はＬＥＤ或いはＯＬＥＤであることを特徴とする請求項１記載の警告及び照明機能を具有する携帯電源の構造。
【請求項３】
前記複数の発光体は幾何形状の陣列で設置或いは円形形状の陣列で設置することを特徴とする請求項１記載の警告及び照明機能を具有する携帯電源の構造。
【請求項４】
前記二つの相隣する発光体は同じカラー或いは異なるカラーに設置する発光体である
ことを特徴とする請求項１記載の警告及び照明機能を具有する携帯電源の構造。
【請求項５】
前記複数の発光体は単一直線の陣列方法でディスプレイに設置することを特徴とする請求項１記載の警告及び照明機能を具有する携帯電源の構造。
【請求項６】
前記ディスプレイ部分は複数のディスプレイに設け、且つ各一つのディスプレイは相隣し、該二つの相隣するディスプレイの発光体は同じカラー或いは異なるカラーの発光体に設置することを特徴とする請求項１記載の警告及び照明機能を具有する携帯電源の構造。
【請求項７】
前記警告及び照明機能を具有する携帯電源は更に入力ポートを含み、
該入力ポートは制御モジュールと電気接続し、且つ本体の片側に設置し、一つの外部電源と電気接続するために用いることを特徴とする請求項１記載の警告及び照明機能を具有する携帯電源の構造。
【請求項８】
前記警告及び照明機能を具有する携帯電源は更に出力ポートを含み、
該出力ポートは制御モジュールと電気接続し、且つ本体の片側に設置し、一つの外部電源と電気接続するために用いることを特徴とする請求項１記載の警告及び照明機能を具有する携帯電源の構造。
【請求項９】
前記警告及び照明機能を具有する携帯電源は更に制御スイッチを含み、
該制御スイッチは制御モジュールと電気接続し、且つ本体の片側に設置し、外部よりのプッシュの指令を受信するために用いることを特徴とする請求項１記載の警告及び照明機能を具有する携帯電源の構造。
【請求項１０】
前記警告及び照明機能を具有する携帯電源は更に太陽光発電チップモジュールを含み、
該太陽光発電チップモジュールは本体第２面に嵌めて設置し、且つ制御モジュールと電気接続し、太陽光放射線エネルギー、熱エネルギーを吸収して電力を発生するために用いることを特徴とする請求項１記載の警告及び照明機能を具有する携帯電源の構造。
【考案の詳細な説明】
【技術分野】
【０００１】
本考案は一種の携帯電源の構造に関し、特に混合光の警告作用及び照明機能を具有する携帯電源の構造に関する。
【背景技術】
【０００２】
テクノロジーの発達に伴い、様々なワイヤレス携帯通信装置或いはマスメディアオーディオ装置の電子製品が現代人に無限の便利をもたらし、仕事或いは生活上の娯楽の欠かせない一部となっている。ビジネスに携わる際、或いは娯楽活動をしている時に、電子製品の電源が突然切れると、極めて困惑すると同時に不便になるため、随時充電できる携帯電源はほぼ誰もが必ず持ち歩く器材となっている。
これら従来の携帯電源は基本的な充電放電機能とシンプルな電量を表示するのみであり、次々と単一白光ＬＥＤの懐中電灯の照明機能が案出されているが、構造位置の設計不良により、一個の白光ＬＥＤのみで主張している懐中電灯の照明機能を使用することになり、しかも０.５ワット以下のＬＥＤ光度しかなく、臨時照明として使用することができず、有効的に警告する役割を果たすことができない。
車両が故障或いは事故を起こした際、従来の携帯電源の白光照明では、道路緊急用の遠距離警告灯及び特殊のＳＯＳ信号機能とすることができないなどの欠点を鑑みて、更なる改善が必要であった。
【先行技術文献】
【特許文献】
【０００３】
【特許文献１】実用新案登録第３１１３９７７号公報
【特許文献１】特開２００５−２０３２８７号公報
【考案の概要】
【考案が解決しようとする課題】
【０００４】
前記公知構造の欠点を解決するため、本考案は警告及び照明機能を具有する携帯電源を提供することを主な課題とする。
【課題を解決するための手段】
【０００５】
前記課題を解決するために、本考案は警告及び照明機能を具有する携帯電源の構造を提供するものであり、比較的大きな面積の本体第１面を利用してディスプレイを設置し、該ディスプレイは複数の発光体により陣列方法をもって設置する。
十分となる少なくとも二色で構成する発光体陣列を配置し、発光体の過熱状態を避け、十分に発光パワーを上げ、光線の角度を広くし、０.５ワット或いはもっと高い照明効果が生まれる。制御モジュール３０を介して異なるカラー或いは異なる位置にある発光体２０に対して異なる駆動電流を配置し、有効的に発光体のライトアップ時間を延長し、プリセットの混合光視覚効果に達し、山岳遭難ＳＯＳ信号の長時間使用に適用し、及び車事故、工事現場警告に使用できる。
【考案の効果】
【０００６】
本考案の構造により、有効的に発光体のライトアップ時間を延長することができ、プリセットの混合光視覚効果に達し、山岳遭難ＳＯＳ信号の長時間使用に適用し、及び車事故、工事現場警告に使用できる。
【図面の簡単な説明】
【０００７】
【図１】本考案の最良実施例の立体略図(一)である。
【図２】本考案の最良実施例の分解立体略図である。
【図３】本考案の最良実施例の立体略図(二)である。
【図４】本考案の最良実施例の立体略図(三)である。
【図５】本考案の最良実施例の立体略図(四)である。
【図６】本考案の最良実施例の立体略図(五)である。
【図７】本考案の最良実施例の立体略図(六)である。
【図８】本考案の最良実施例の俯瞰図である。
【図９】本考案の最良実施例状態の略図である。
【図１０】本考案の最良実施例の立体略図(七)である。
【考案を実施するための形態】
【０００８】
以下、本考案の構造と特徴および効果を、最良実施例と図面を参照しながら詳細に説明する。
【実施例】
【０００９】
図１〜図９に示すように、本考案の警告及び照明機能を具有する携帯電源が主に含むのは本体１０、複数の発光体２０、制御モジュール３０、回路基板５０及びバッテリー６０である。該本体１０は更に本体第１外殻１０１及び本体第２外殻１０２を含む。本体１０の外部に本体第１面１１及び本体第２面１２を形成し、本体第１面１１にディスプレイ１３を設置する。ディスプレイ１３は少なくとも二色で構成する複数の発光体２０を陣列で以って設置するものである。複数の発光体はそれぞれ第１カラー発光体２１、第２カラー発光体２２、第３カラー発光体２３〜第Ｎカラー発光体２Ｎなどに設置することができ、少なくとも二色の発光体２０は例えば：第１カラー発光体２１の光の色をブルー、第２カラー発光体２２の光の色を赤、・・・などとし、それぞれ必要とするその他の光の色の発光体を設置する。
【００１０】
該発光体２０はＬＥＤ或いはＯＬＥＤとすることができる。該制御モジュール３０と回路基板５０は電気接続し、且つ全て本体１０内部に収納し、バッテリー６０もまた制御モジュール３０と電気接続し、且つ本体１０内部に収納する。該少なくとも二色で構成する複数の発光体２０と回路基板５０は電気接続し、且つ回路基板５０に陣列で設置し、且つディスプレイ１３に対応することで、回路基板５０に設置する発光体２０の数を十分に増やすことができる。且つ各一つの発光体２０の放熱面積を増やし、発光効率を上げ、光線角度を広げる。また、制御モジュール３０を介し、異なるカラーと異なる位置にある発光体２０に異なる駆動電流を配置することで、プリセットした混合光視覚効果と、プリセットした照明光度と色温度(color temperature)に達し、発光体２０のライトアップ時間を延長する。本考案者が実際に実験した結果、該発光体２０がライトアップする時間は最長で持続して６０時間使用することができる。
【００１１】
本考案のディスプレイ１３は図１、図３及び図４に示すように、それぞれ第１ディスプレイ１３１と第２ディスプレイ１３２に設ける複数のディスプレイ１３にすることができ、且つ各一つのディスプレイ１３は相隣する。第１ディスプレイ１３１の発光体２０はいずれも第１カラー発光体２１に設け、第２ディスプレイ１３２の発光体２０はいずれも第２カラー発光体２２に設ける。該ディスプレイ１３の複数の発光体２０は図１に示すように、単一直線を呈する陣列方法で設置する。
【００１２】
また、図３、図４に示すように、複数の直線の陣列方法で設置する。或いは図５、図６に示すように、ディスプレイ１３をそれぞれ第１ディスプレイ１３１、第２ディスプレイ１３２、第３ディスプレイ１３３及び第４ディスプレイ１３４に設ける。図５に示すように、第１ディスプレイ１３１と第３ディスプレイ１３３の複数の発光体２０はいずれも第１カラー発光体２１を設置することができ、且つ第２ディスプレイ１３２と第４ディスプレイ１３４の複数の発光体２０を全て第２カラー発光体２２に設置する。図６に示すように、第１ディスプレイ１３１、第２ディスプレイ１３２、第３ディスプレイ１３３と第４ディスプレイ１３４の複数の発光体２０はそれぞれ第１カラー発光体２１、第２カラー発光体２２、第３カラー発光体２３及び第４カラー発光体２４に設置し、即ち各一つのディスプレイ１３の発光体２０は同じカラーの発光体２０に設置することができ、二つの相隣するディスプレイ１３の発光体２０は同じカラー或いは異なるカラーの発光体２０を設置することができる。
【００１３】
図７及び図８に示すように、本考案のディスプレイ１３における複数の発光体２０は同じ第１カラー発光体２１と第２カラー発光体２２を交差設置することができ、二つの相隣する発光体２０は同じカラー或いは異なるカラー発光体２０を設置することができる。複数のディスプレイ１３における複数の発光体２０もまた円形の陣列方法で設置することができる。本考案は幾何形状の陣列或いは各種の図形の陣列を以って、同じ或いは異なるカラーの複数の発光体２０を設置することができ、いずれも制御モジュール３０を介して異なる位置、異なるカラーの発光体２０に対して異なる或いは同じ駆動電流を配置し、プリセットの混合光視覚効果及びプリセットの照明光度、色温度及び警告ライト表示に達する。制御モジュール３０を介し、異なるカラーの発光体２０の光度を制御することで、警告ライトの最良視覚効果に達する。
【００１４】
また、混合光技術を利用して、同時に異なるカラーの発光体２０をライトアップすることができ、或いは混合光技術を利用して５０Ｈｚ或いは５０Ｈｚ以上の周波数を利用して異なるカラーの発光体２０をライトアップし、或いは異なるカラーの発光体２０をデューティサイクル(duty cycle、または、平均値と呼ぶことができる)を制御することにより、いずれも複数の発光体２０が白色、電球色或いはその他の色温度(color temperature)の照明効果に達することができる。本考案の警告及び照明機能を具有する携帯電源１は広く車内の照明ライト、作業或いは読書用の照明ライト、キャンプライトなど、様々なアウトドア携帯照明に適用する。
【００１５】
ディスプレイ１３の複数の発光体２０は陣列方法で設置するため、且つ該複数の発光体２０は少なくとも二色で構成する複数の発光体２０であるため、制御モジュール３０を介し、同一カラー発光体２０を同時にライトアップし、且つその他のカラー発光体２０と同時に或いは交代でライトアップすれば、プリセットの照明或いは警告ライトを表示することができ、且つ規律のある循環状態でライトアップ及び消灯のプロセスを繰り返し、百メートル以上離れてもクリアに識別できるプリセットの警告ライトを形成する。本考案の警告及び照明機能を具有する携帯電源１は、充電或いは放電状態にある場合、低い電流の方法を用いて発光体２０を駆動し、電量の状態を表示する効果に達し、且つ複数の発光体２０は陣列方法で設置することで、表示面積が広く、電量状態をクリアに識別しやすい。
【００１６】
該警告及び照明機能を具有する携帯電源１は更に入力ポート３１、複数の出力ポート３２、制御スイッチ３３を含み、前記入力ポート３１、出力ポート３２と制御スイッチ３３はそれぞれ制御モジュール３０と電気接続する。入力ポート３１と出力ポート３２はいずれも本体１０の片側に設置し、入力ポート３１はＵＳＢの入力ポートとすることができ、外部電源と電気接続するために使用する。入力ポートを通じて外部電源が提供する電力を受け、そして制御モジュール３０に伝送し、更に制御モジュール３０は充電モードでモニタリングし、バッテリー６０に対して充電を行い、同時に制御モジュール３０よりモニタリングしている充電状態は、ディスプレイ１３により該陣列に設置する複数の発光体２０を低い電流の駆動方法で表示する。前記出力ポート３２はＵＳＢ出力ポートとすることができ、ワイヤレス携帯通信装置或いはマスメディアオーディオ装置の電子製品と電気接続するのに用いる。
【００１７】
電子製品を出力ポートに電気接続した後、出力ポート３２の状態が変わることで、制御モジュール３０がその変化を受信し、自動的にバッテリー６０を制御して出力ポート３２に対し放電を行い、電子製品に対して充電を行う。この時、制御モジュール３０はモニタリングしている放電状態を、ディスプレイ１３の該陣列で設置する複数の発光体２０より低い電流の駆動方法を表示する。該制御スイッチ３３を本体１０の別側に設置し、外部からのプッシュの指令を受信するのに用いる。また、プッシュした回数と時間の間隔を制御モジュール３０に伝送する。制御モジュール３０は自動的に該外部指令を識別し、且つディスプレイ１３の該陣列で設置する複数の発光体２０により、バッテリー６０の容量表示のオンオフ、警告ライト表示のオンオフ、或いは混合光照明のオンオフを執行する。
【００１８】
図１０に示すように、本考案の警告及び照明機能を具有する携帯電源１は更に太陽光発電チップモジュール７０を含み、該太陽光発電チップモジュール７０を本体第２面１２に嵌めて設置し、制御モジュール３０と電気接続する。太陽光発電チップモジュール７０の太陽光発電チップ７００が太陽光放射線エネルギー、熱エネルギーを吸収して電力を発生する際、該電力は変換され、制御モジュール３０に送り、更に制御モジュール３０より充電モードでモニタリングを行い、バッテリー６０に対して充電する。更に制御モジュール３０が充電状態をモニタリングし、ディスプレイ１３の該陣列で設置する複数の発光体２０より低い電流の駆動方法で表示し、警告及び照明機能を具有する携帯電源１は、外部の電源より電力を提供していないときでも、太陽光の放射線エネルギー及び熱エネルギーを介し、バッテリー６０に対して充電を行うことができる。
【符号の説明】
【００１９】
１  警告及び照明機能を具有する携帯電源
１０  本体
１０１  本体第１外殻
１０２  本体第２外殻
１１  本体第１面
１２  本体第２面
１３  ディスプレイ
１３１  第１ディスプレイ
１３２  第２ディスプレイ
１３３  第３ディスプレイ
１３４  第４ディスプレイ
２０  発光体
２１  第１カラー発光体
２２  第２カラー発光体
２３  第３カラー発光体
２４  第４カラー発光体
３０  制御モジュール
３１  入力ポート
３２  出力ポート
３３  制御スイッチ
５０  回路基板
６０  バッテリー
７０  太陽光発電チップモジュール
７００  太陽光発電チップ
【図１】
0003211298.tif 000003
【図２】
0003211298.tif 000004
【図３】
0003211298.tif 000005
【図４】
0003211298.tif 000006
【図５】
0003211298.tif 000007
【図６】
0003211298.tif 000008
【図７】
0003211298.tif 000009
【図８】
0003211298.tif 000010
【図９】
0003211298.tif 000011
【図１０】
0003211298.tif 000012
【手続補正書】
【提出日】平成29年4月26日(2017.4.26)
【手続補正１】
【補正対象書類名】実用新案登録請求の範囲
【補正対象項目名】全文
【補正方法】変更
【補正の内容】
【実用新案登録請求の範囲】
【請求項１】
本体、複数の発光体、制御モジュール、回路基板及びバッテリーを含み、
該本体の外部に本体第１面及び本体第２面を形成し、
本体第１面にディスプレイを設置し、該ディスプレイは少なくとも二色で構成する複数の発光体を陣列で以って設置するものであり、
該回路基板は制御モジュールと電気接続し、二つとも本体内部に収納し、
その中、バッテリーもまた制御モジュールと電気接続し、且つ本体内部に収納し、且つ制御モジュールによって制御されることで、充電或いは放電を行い、
その中、複数の発光体と回路基板は電気接続し、且つ回路基板に陣列で設置し、且つディスプレイに対応し、
制御モジュールを介し、異なるカラー或いは/及び異なる位置にある発光体に異なる或いは同じ駆動電流を配置することで、前記発光体のオン或いはオフを制御することで、プリセットの混合光の視覚効果に達し、及びプリセットの照明光度、色温度及び最良の警告ライトの効果に達することを特徴とする警告及び照明機能を具有する携帯電源の構造。
【請求項２】
前記発光体はＬＥＤ或いはＯＬＥＤであることを特徴とする請求項１記載の警告及び照明機能を具有する携帯電源の構造。
【請求項３】
前記複数の発光体は幾何形状の陣列で設置或いは円形形状の陣列で設置することを特徴とする請求項１記載の警告及び照明機能を具有する携帯電源の構造。
【請求項４】
前記複数の発光体の二つの相隣する発光体は同じカラー或いは異なるカラーに設置する発光体である
ことを特徴とする請求項１記載の警告及び照明機能を具有する携帯電源の構造。
【請求項５】
前記複数の発光体は単一直線の陣列方法でディスプレイに設置することを特徴とする請求項１記載の警告及び照明機能を具有する携帯電源の構造。
【請求項６】
前記ディスプレイ部分は複数のディスプレイに設け、且つ各一つのディスプレイは相隣し、該二つの相隣するディスプレイの発光体は同じカラー或いは異なるカラーの発光体に設置することを特徴とする請求項１記載の警告及び照明機能を具有する携帯電源の構造。
【請求項７】
前記警告及び照明機能を具有する携帯電源は更に入力ポートを含み、
該入力ポートは制御モジュールと電気接続し、且つ本体の片側に設置し、一つの外部電源と電気接続するために用いることを特徴とする請求項１記載の警告及び照明機能を具有する携帯電源の構造。
【請求項８】
前記警告及び照明機能を具有する携帯電源は更に出力ポートを含み、
該出力ポートは制御モジュールと電気接続し、且つ本体の片側に設置し、一つの外部電源と電気接続するために用いることを特徴とする請求項１記載の警告及び照明機能を具有する携帯電源の構造。
【請求項９】
前記警告及び照明機能を具有する携帯電源は更に制御スイッチを含み、
該制御スイッチは制御モジュールと電気接続し、且つ本体の片側に設置し、外部よりのプッシュの指令を受信するために用いることを特徴とする請求項１記載の警告及び照明機能を具有する携帯電源の構造。
【請求項１０】
前記警告及び照明機能を具有する携帯電源は更に太陽光発電チップモジュールを含み、
該太陽光発電チップモジュールは本体第２面に嵌めて設置し、且つ制御モジュールと電気接続し、太陽光放射線エネルギー、熱エネルギーを吸収して電力を発生するために用いることを特徴とする請求項１記載の警告及び照明機能を具有する携帯電源の構造。